(57)【特許請求の範囲】
【請求項１】
ファイルの表紙の背表紙の内面に取り付けられる綴じ具であって、
前記背表紙の内面に固定される基板、
前記基板に回動可能に形成される揺動部、
前記揺動部に形成されるパイプ部材、
前記パイプ部材に挿入される挿入杆が形成された支持部、
前記揺動部を前記基板側に回動した状態で固定するための揺動部固定手段、
前記挿入杆を前記パイプ部材に挿入した状態で固定するための挿入杆固定手段、および
前記揺動部固定手段による前記揺動部の固定を解除するとともに、前記挿入杆固定手段による前記挿入杆の固定を解除する解除手段を含む、綴じ具。
【請求項２】
前記揺動部固定手段は、前記基板側に対して前記支持部側を固定する手段を含み、
前記挿入杆固定手段は、前記揺動部側に対して前記支持部側を固定する手段を含み、
前記解除手段は、前記基板側および前記揺動部側に対して前記支持部側を変位する手段を含む、請求項１に記載の綴じ具。
【請求項３】
前記揺動部固定手段は、
前記基板側に形成される爪部、および
前記支持部側に形成され、前記爪部に引っ掛かる引掛け部材を含み、
前記挿入杆固定手段は、
前記揺動部側に形成される凹部または凸部、および
前記支持部側に形成され、前記凹部または凸部に嵌る凸部または凹部を含み、
前記解除手段は、前記基板側および前記支持部側の一方側に形成される解除用傾斜部を含み、
前記基板側および前記支持部側の他方側が前記解除用傾斜部にあたるように前記支持部側を前記基板側に押すことによって、前記引掛け部材が前記爪部から外れるように、前記基板側に対して前記支持部側が変位するとともに、前記支持部側に形成した凸部または凹部が前記揺動部側に形成した凹部または凸部から外れるように、前記揺動部側に対して前記支持部側が変位するようにした、請求項２に記載の綴じ具。
【発明の詳細な説明】
【０００１】
【発明の属する技術分野】
この発明は綴じ具に関し、特に、ファイルの表紙の背表紙の内面に取り付けられ、たとえば２つの綴じ孔など複数の綴じ孔が形成された書類などを綴じる綴じ具に関する。
【０００２】
【従来の技術】
この発明の背景となる従来のファイルが、たとえば実公平１−２０１４５号公報や実公平２−３５５０３号公報に開示されている。これらの公報に開示されているファイルでは、表紙の背表紙の内面に、綴じ具が取り付けられている。
図１４はこのような従来の綴じ具の基板などを示す斜視図であり、図１５はこのような従来の綴じ具の回動板などを示す斜視図であり、図１６はこのような従来の綴じ具の挿入杆などを示す斜視図である。
図１４〜図１６に示す従来の綴じ具は、ファイルの表紙の背表紙の内面に固定される略矩形板状の基板１を含む。基板１の幅方向の一端側（ファイルの表紙の裏表紙側）には、略矩形板状の揺動板２が、回動可能に取り付けられる。揺動板２は、ばね３でファイルの表紙の裏表紙側に付勢されている。揺動板２の主面には、円筒状の２つパイプ部材４、４が、間隔を隔てて直立するように形成される。これらのパイプ部材４、４は、書類を綴じる際に、書類に形成された２つの綴じ孔に通されるものである。これらのパイプ部材４、４には、円柱状の２つの挿入杆５、５が、それぞれ挿入される。これらの挿入杆５、５は、略矩形板状の支持板６の主面に間隔を隔てて直立するように形成される。
また、基板１の幅方向の他端側（ファイルの表紙の表表紙側）には、略矩形板状の固定板７が形成される。固定板７は、基板１と略垂直になるように形成される。固定板７の外側には、略矩形板状の回動板８が、回動可能に取り付けられる。回動板８は、ばね９で固定板７側に付勢されている。回転板８の先端の中央部は、フック部８ａとして形成される。フック部８ａは、２つのパイプ部材４、４に２つの挿入杆５、５を挿入して揺動板２および支持板６などを基板１側に回動した状態で、支持板６に引掛けられることによって綴じ具全体を固定するためのものである。
上述の綴じ具を用いたファイルでは、書類を綴じる場合、まず、２つのパイプ部材４、４が、書類に形成された２つの綴じ孔に通される。そして、２つのパイプ部材４、４には、２つの挿入杆５、５が挿入される。その状態で、揺動板２および支持板６などが基板１側に回動される。すると、支持板６が固定板７に重なるとともに、回動板８のフック部８ａがばね９の力で支持板６に引っ掛かり、綴じ具全体が固定される。それによって、ファイルの表紙内において、綴じ具の揺動板２と支持板６との間で書類が綴じられる。
一方、上述の綴じ具を用いたファイルでは、綴じられた書類を取り出す場合、まず、フック部８ａが支持板６から外れるように回動板８がばね９の力に抗して固定板７側とは反対側に回動された状態で、揺動板２および支持板６などが基板１側とは反対側に回動される。そして、２つのパイプ部材４、４から２つの挿入杆５、５が抜かれる。それから、２つのパイプ部材４、４から書類が抜かれて取り出される。
【０００３】
【発明が解決しようとする課題】
上述のファイルの綴じ具では、フック部８ａを支持板６に引掛けることなく全体を固定しない場合には、ファイルの表紙の背表紙に固定した基板１に対して揺動板２などを回動することができるので、揺動板２などを回動させる際にファイルの表紙の背表紙が邪魔にならない。
しかしながら、その場合には、挿入杆５がパイプ部材４に挿入された状態で固定されていないので、書類が挿入杆５とともにパイプ部材４から抜けてしまいやすく閲覧しにくい。
そこで、挿入杆をパイプ部材に挿入した状態で固定する挿入杆固定手段を設けることが考えられるが、このような挿入杆固定手段による挿入杆の固定は、基板に対して揺動板を固定した状態から揺動板の固定を解除する際に解除されることが望ましい。
【０００４】
それゆえに、この発明の主たる目的は、ファイルの表紙の背表紙に固定される基板に対して揺動部を固定していない状態でも、挿入杆をパイプ部材に挿入した状態で固定することができ、しかも、基板に対して揺動部を固定した状態から揺動部の固定を解除する際に、挿入杆の固定を解除することができる、綴じ具を提供することである。
【０００５】
【課題を解決するための手段】
この発明にかかる綴じ具は、ファイルの表紙の背表紙の内面に取り付けられる綴じ具であって、背表紙の内面に固定される基板と、基板に回動可能に形成される揺動部と、揺動部に形成されるパイプ部材と、パイプ部材に挿入される挿入杆が形成された支持部と、揺動部を基板側に回動した状態で固定するための揺動部固定手段と、挿入杆をパイプ部材に挿入した状態で固定するための挿入杆固定手段と、揺動部固定手段による揺動部の固定を解除するとともに、挿入杆固定手段による挿入杆の固定を解除する解除手段とを含む、綴じ具である。
この発明にかかる綴じ具では、たとえば、揺動部固定手段は、基板側に対して支持部側を固定する手段を含み、挿入杆固定手段は、揺動部側に対して支持部側を固定する手段を含み、解除手段は、基板側および揺動部側に対して支持部側を変位する手段を含む。
また、この発明にかかる綴じ具では、たとえば、揺動部固定手段は、基板側に形成される爪部と、支持部側に形成され、爪部に引っ掛かる引掛け部材とを含み、挿入杆固定手段は、揺動部側に形成される凹部または凸部と、支持部側に形成され、その凹部または凸部に嵌る凸部または凹部とを含み、解除手段は、基板側および支持部側の一方側に形成される解除用傾斜部を含み、基板側および支持部側の他方側が解除用傾斜部にあたるように支持部側を基板側に押すことによって、引掛け部材が爪部から外れるように、基板側に対して支持部側が変位するとともに、支持部側に形成した凸部または凹部が揺動部側に形成した凹部または凸部から外れるように、揺動部側に対して支持部側が変位するようにしてもよい。
【０００６】
この発明にかかる綴じ具では、揺動部固定手段によって、揺動部を基板側に回動した状態で固定することができる。
また、この発明にかかる綴じ具では、挿入杆固定手段によって、挿入杆をパイプ部材に挿入した状態で固定することができる。
さらに、この発明にかかる綴じ具では、解除手段によって、揺動部固定手段による揺動部の固定を解除するとともに、挿入杆固定手段による挿入杆の固定を解除することができる。
そのため、この発明にかかる綴じ具では、ファイルの表紙の背表紙に固定される基板に対して揺動部を固定していない状態でも、挿入杆をパイプ部材に挿入した状態で固定することができ、綴じた書類が閲覧しやすく、しかも、基板に対して揺動部を固定した状態から揺動部の固定を解除する際に、挿入杆の固定を解除することができる。
【０００７】
この発明の上述の目的、その他の目的、特徴および利点は、図面を参照して行う以下の発明の実施の形態の詳細な説明から一層明らかとなろう。
【０００８】
【発明の実施の形態】
図１はこの発明の綴じ具の一例を示す斜視図であり、図２はその分解斜視図である。綴じ具１０は、ファイル１２の一部として用いられ、ファイル１２の表紙１４に取り付けられる。表紙１４は、背表紙１４ａを含み、背表紙１４ａの両側に表表紙１４ｂおよび裏表紙１４ｃが形成される。そして、背表紙１４ａに、綴じ具１０が取り付けられる。
【０００９】
綴じ具１０は、表紙１４に固定される固定部材たるベース２０を含む。ベース２０は、図３に示すように、合成樹脂などで形成される略矩形板状の基板２２を含む。基板２２は、たとえば超音波溶着やリベットなどによって、背表紙１４ａに固定される。基板２２の幅方向の一方側（表表紙１４ｂ側）近傍には、２つの爪部２４が形成される。爪部２４は、基板２２の長手方向に所定の間隔を隔てて並んで形成される。これらの爪部２４は、基板２２の面から立ち上がるように形成され、その上端部が基板２２の幅方向の一方側に向かって鉤状に折れ曲がるように形成される。
【００１０】
また、基板２２の幅方向の一方側（表表紙１４ｂ側）端部には、２つの爪部２４の両側に、２つの固定用傾斜部２６が形成される。固定用傾斜部２６は、基板２２の幅方向の一方側から中央部側に向かうにしたがって低くなるように傾斜している。さらに、基板２２の幅方向の一方側中央部には、解除用傾斜部２８が形成される。解除用傾斜部２８は、基板２２の中央部側から一方端側に向かうにしたがって低くなるように傾斜している。固定用傾斜部２６は、綴じ具１０に書類などを綴じて固定するときに用いられ、解除用傾斜部２８は、綴じ具１０に綴じられた書類などの被綴じ物Ａを取り外すときに用いられる。
【００１１】
基板２２の幅方向の他方側（裏表紙１４ｃ側）には、ヒンジ部３０を介して、書類などの被綴じ物Ａを綴じる綴じ部材３００を構成する可動部材３２が形成される。可動部材３２は、矩形板状の揺動板３４を含み、この揺動板３４が、薄肉のヒンジ部３０を中心として回転可能に形成されている。揺動板３４のヒンジ部３０側からは、揺動板３４の面に直交するようにして、２つの固定板３６が形成される。これらの固定板３６は、揺動板３４の長手方向の両端側に形成される。固定板３６の端部には、それぞれ固定用凹部４０が形成される。
【００１２】
さらに、揺動板３４の面から直交して延びるようにして、書類などの被綴じ物Ａに形成された円形の綴じ孔が挿通される綴じ棒を構成する２本のパイプ部材３８が形成される。これらのパイプ部材３８は、揺動板の長手方向に間隔を隔てて形成される。パイプ部材３８は、円筒状に形成され、その一方端が揺動板３４に固定される。そして、パイプ部材３８の他方端は、斜めに傾斜するように形成される。
【００１３】
また、綴じ具１０は、前記可動部材３２と協働して、書類などの被綴じ物Ａを綴じる綴じ部材３００を構成する嵌合部材４２を含む。嵌合部材４２は、図４〜図６に示すように、矩形板状の支持板４４を含む。支持板４４の長手方向に間隔を隔てて、２本の挿入杆４６が形成される。挿入杆４６は、揺動板３４から延びるパイプ部材３８に対応する位置に形成され、このパイプ部材３８に挿入することにより、書類を綴じることができる。
【００１４】
さらに、支持板４４の幅方向の一方側端部から、支持板４４の一方面に直交するように延びる２つの案内板４８が形成される。案内板４８は、支持板４４の長手方向の両側に形成され、揺動板３４に形成された固定板３６に対応する位置に形成される。案内板４８は、挿入杆４６をパイプ部材３８に挿入するとき、固定板３６の下面に配置されて挿入杆４６とパイプ部材３８との位置関係を合わせるために用いられる。
【００１５】
また、案内板４８の内側には、支持板４４の面と直交するようにして、２つの引掛け部材５０が形成される。これらの引掛け部材５０は、基板２２の爪部２４に引掛けるように用いられる。さらに、図６に示すように、支持板４４の他方面から案内板４８にかけて、２つの曲面部５２が形成される。これらの曲面部５２は、挿入杆４６をパイプ部材３８に挿入したときに、基板２２に形成された固定用傾斜部２６に対応する位置に形成される。
【００１６】
さらに、図５に示すように、支持板４４の中央部には、着脱部材装着部５４が形成される。着脱部材装着部５４は、支持板４４の幅方向の一端側において、支持板４４と平行して形成される壁部材５６と、支持板４４の多端側および挿入杆４６の内側において、挿入杆４６と同じ向きに突出するリブ５８とで形成される。この着脱部材装着部５４には、切り欠き部５４ａが形成され、ここに着脱部材６０が取り付けられる。
【００１７】
着脱部材６０は、図７および図８に示すように、コ字状に折り曲げられた挟持部６２を含み、この挟持部６２が支持板４４の切り欠き部５４ａ形成部を挟むようにして挟持する。支持板４４の着脱部材装着部５４側において、挟持部６２の長手方向の両側に延びるようにして、ストッパ６４が形成される。これらのストッパ６４が、図９に示すように、支持板４４に形成されたリブ５８に引っかかって、挟持部６２が支持板４４から外れることを防いでいる。
【００１８】
さらに、挟持部６２の中央部には、接続部６６を介して、屈曲部材６８が形成される。屈曲部材６８は、支持板４４の長手方向に延びるように形成され、その中央部が接続部６６に接続されている。屈曲部材６８の両端部には、案内板４８側に向かって突出する凸部７０が形成される。屈曲部材６８は、支持板４４と壁部材５６との間に挟み込まれ、着脱部材６０が安定して保持される。そして、凸部７０は、支持板４４と壁部材５６の間から、案内板４８方向に向かって露出するように形成される。
【００１９】
また、屈曲部材６８の中間部には、嵌合部材４２に形成された支点部材７２が当接される。この支点部材７２が当接されることにより、挟持部６２を接続部６２側に向かって押したときに、支点部材７２を中心として屈曲部材６８に撓みが生じる。それにより、案内板４８方向に向かって露出している凸部７０が上がり、案内板４８側に露出しなくなる。さらに、図４〜図６に示すように、支持板４４の長手方向の中央部において、支持板４４と壁部材５６との間に窓部７４が形成される。そして、挟持部６２を接続部６２側に向かって押したときに、屈曲部材６８の中央部が窓部７４から露出する。
【００２０】
ファイル１２に書類を保持するには、着脱部材６０を外した状態で、孔が形成された書類にパイプ部材３８が挿通される。このとき、パイプ部材３８の先端部が斜めになっているため、容易に書類にパイプ部材３８を通すことができる。また、このとき、可動部材３２は、ヒンジ部３０を中心として、揺動可能な状態となっている。そして、嵌合部材４２の挿入杆４６をパイプ部材３８に挿入することにより、嵌合部材４２の案内板４８が可動部材３２の固定板３６の下をすべっていく。そして、固定板３６が支持板４４にぶつかると、着脱部材６０の凸部７０が固定板３６に形成された固定用凹部４０に入り、嵌合部材４２が可動部材３２に嵌合される。
【００２１】
この状態で、書類は可動部材３２の揺動板３４と嵌合部材４２の支持板４４とで挟まれ、パイプ部材３８によって保持される。したがって、書類は、揺動可能な状態で保持される。さらに、可動部材３２をベース２０側に倒すことにより、嵌合部材４２の引掛け部材５０がベース２０の爪部２４に当たり、爪部２４が撓んで引掛け部材５０が鉤状の部分に引っかかって固定される。
【００２２】
このように、この綴じ具１０では、着脱部材６０の凸部７０と可動部材３２の固定用凹部４０とでパイプ部材３８の延長方向の動きが固定され、かつ嵌合部材４２の引掛け部材５０とベース２０の爪部２４とで可動部材３２の揺動が固定される。
【００２３】
また、嵌合部材４２が可動部材３２に固定されない状態で、可動部材３２をベース２０側に倒しても、ファイル１２に書類を保持することができる。この場合、着脱部材６０の凸部７０が可動部材３２の固定用凹部４０に嵌っていない状態で、可動部材３２がベース２０側に倒される。可動部材３２がベース２０に近づくと、図１０（Ａ）（Ｂ）に示すように、嵌合部材４２の局面部５２がベース２０の固定用傾斜部２６に当たって、支持板４４を揺動板３４方向に押しながら、局面部５２が固定用傾斜部２６上を移動する。したがって、可動部材３２をベース２０に近づけるようにして支持板４４を押すことにより、着脱部材６０の凸部７０が固定用凹部４０に嵌り込むと同時に、引掛け部材５０が爪部２４の鉤状の部分に嵌り込む。
【００２４】
このように、この綴じ具１０では、嵌合部材４２が可動部材３２に固定された状態でも、固定されていない状態でも、可動部材３２をベース２０に押し付けることによって、書類を保持することができる。
【００２５】
ファイル１２に保持した書類を取り外すときには、図１１に示すように、着脱部材６０の挟持部６２を支持板４４の面に沿って押すことにより、図１２に示すように、屈曲部材６８が支点部材７２を中心として撓む。そのため、屈曲部材６８の両端部に形成された凸部７０が上がり、凸部７０が固定用凹部４０から外れる。それにより、嵌合部材４２は、パイプ部材３８に沿って移動可能となる。さらに、図１３（Ａ）（Ｂ）に示すように、挟持部６２を押すことにより、屈曲部材６８の中央部が窓部７４から露出し、ベース２０の解除用傾斜部２８に当たる。そのため、露出した屈曲部材６８の中央部が解除用傾斜部２８上を移動し、挿入杆４６がパイプ部材３８から抜けるようにして嵌合部材４２が移動する。したがって、挟持部６２を押すことにより、着脱部材６０の凸部７０が固定用凹部４０から外れると同時に、引掛け部材５０が爪部２４から外れるように動作する。
【００２６】
このように、この綴じ具１０では、２か所で固定をして書類を保持することができる構造であるが、１回の動作で、綴じ具１０の固定および解除を行うことができる。さらに、可動部材３２と嵌合部材４２とで書類を保持し、その状態で書類が揺動できるようにすることも可能である。
【００２７】
なお、上述の綴じ具１０では、略矩形板状の基板２２、揺動部として矩形板状の揺動板３４、支持部として矩形板状の支持板４４が用いられているが、それらは他の形状に形成されてもよい。
【００２８】
また、上述の綴じ具１０では、揺動部固定手段として、基板２２側に形成された爪部２４と支持板４４側に形成された引掛け部５０とが用いられているが、揺動部固定手段は爪部や引掛け部以外の手段で構成されてもよい。
【００２９】
さらに、上述の綴じ具１０では、挿入部固定手段として、揺動板３４側に形成された固定用凹部４０と支持板４４側で着脱部材６０に形成された凸部７０とが用いられているが、固定用凹部と凸部とは互いに逆の位置に形成されてもよく、また、挿入部固定手段は固定用凹部や凸部以外の手段で構成されてもよい。
【００３０】
また、上述の綴じ具１０では、解除手段として基板２２側に形成された解除用傾斜部２８が用いられているが、解除用傾斜部は支持板４４側に形成されてもよく、また、解除手段は固定用傾斜部以外の手段で構成されてもよい。
【００３１】
なお、上述の綴じ具１０では、揺動部固定手段および挿入杆固定手段を働かせる稼働手段として基板２２側に形成された固定用傾斜部２６が用いられているが、固定用傾斜部は支持板４４側に形成されてもよく、また、稼働手段は固定用傾斜部以外の手段で構成されてもよい。
【００３２】
【発明の効果】
この発明によれば、ファイルの表紙の背表紙に固定される基板に対して揺動部を固定していない状態でも、挿入杆をパイプ部材に挿入した状態で固定することができ、綴じた書類が閲覧しやすく、しかも、基板に対して揺動部を固定した状態から揺動部の固定を解除する際に、挿入杆の固定を解除することができる、綴じ具が得られる。
【図面の簡単な説明】
【図１】この発明の綴じ具の一例を示す斜視図である。
【図２】図１に示す綴じ具の分解斜視図である。
【図３】図１に示す綴じ具に用いられるベースと可動部材とを示す平面図解図である。
【図４】図１に示す綴じ具に用いられる嵌合部材を示す平面図解図である。
【図５】図４に示す嵌合部材の側面図解図である。
【図６】図４に示す嵌合部材の底面図解図である。
【図７】図４に示す嵌合部材に取り付けられる着脱部材を示す平面図解図である。
【図８】図７に示す着脱部材の側面図解図である。
【図９】綴じ具を固定したときの各部の様子を示す図解図である。
【図１０】（Ａ）（Ｂ）は、綴じ具を固定するときの動きを示す図解図である。
【図１１】固定された綴じ具を解除するときの様子を示す図解図である。
【図１２】図１１に示す綴じ具の各部の様子を示す図解図である。
【図１３】（Ａ）（Ｂ）は、固定された綴じ具を解除するときの動きを示す図解図である。
【図１４】従来の綴じ具の基板などを示す斜視図である。
【図１５】従来の綴じ具の回動板などを示す斜視図である。
【図１６】従来の綴じ具の挿入杆などを示す斜視図である。
【符号の説明】
１０  綴じ具
１２  ファイル
１４  表紙
１４ａ  背表紙
２２  基板
２４  爪部
２６  固定用傾斜部
２８  解除用傾斜部
３４  揺動板
３８  パイプ部材
４０  固定用凹部
４４  支持板
４６  挿入杆
５０  引掛け部
６０  着脱部材
７０  凸部
【図１】
0003561508.tif 000002
【図２】
0003561508.tif 000003
【図３】
0003561508.tif 000004
【図４】
0003561508.tif 000005
【図５】
0003561508.tif 000006
【図６】
0003561508.tif 000007
【図７】
0003561508.tif 000008
【図８】
0003561508.tif 000009
【図９】
0003561508.tif 000010
【図１０】
0003561508.tif 000011
【図１１】
0003561508.tif 000012
【図１２】
0003561508.tif 000013
【図１３】
0003561508.tif 000014
【図１４】
0003561508.tif 000015
【図１５】
0003561508.tif 000016
【図１６】
0003561508.tif 000017